(57)【要約】【課題】  用紙なし発生によりジョブが中断した後、ユーザが用紙を補給した場合、ユーザの所望するタイミングで給紙を開始させることができる装置を提供する。【解決手段】  画像形成装置において、画像形成部が印刷ジョブを処理しているときに用紙なしが発生し、給紙手段に用紙がセットされた場合に、自動的に用紙の給紙を開始するか、ユーザからのジョブの再開指示を待って給紙を開始するかを設定することを特徴とする。【選択図】  図８
2019038214.tif 000002
【特許請求の範囲】
【請求項１】
用紙が積載される手差しトレイと、
前記手差しトレイから給紙された用紙に画像形成を行う画像形成部と、
ユーザ指示を受け付ける操作部と、
前記操作部を介して受け付けられた、前記手差しトレイの用紙サイズ情報を記憶する記憶部と、
前記手差しトレイが指定され、且つ用紙サイズ情報が指定されたジョブを外部装置から受信する受信部と、
前記受信部により受信されたジョブによって指定された用紙サイズ情報と、前記記憶部に記憶された前記手差しトレイの用紙サイズ情報とが対応すると判定したことに基づき、前記手差しトレイから前記画像形成部に用紙を給紙させる制御部と、を有し、
前記制御部は、
前記画像形成部が前記ジョブの受信に基づき前記画像形成を開始した場合において、用紙なしが発生したときは、前記画像形成を一時中断させ、
前記画像形成の中断後に前記手差しトレイに用紙が置かれたことを検知した場合、
（１）前記手差しトレイに置かれた用紙のサイズ情報を、前記操作部を介して受け付けた後に用紙を給紙するか、
（２）前記手差しトレイに置かれた用紙のサイズ情報を受け付けず、ジョブの再開のための指示が前記操作部を介して受け付けられたことに応じて該用紙を給紙するか、
（３）前記手差しトレイに置かれた用紙を、前記操作部からのユーザ指示なしに、前記手差しトレイに用紙が置かれたことを検知したことに応じて給紙するか、
を決定することを特徴とする画像形成装置。
【請求項２】
前記制御部は、前記操作部に表示される設定画面を介して受け付けられた設定情報に基づいて前記決定を行うことを特徴とする請求項１に記載の画像形成装置。
【請求項３】
前記設定情報は、前記ジョブの受信に先立って前記操作部から受け付けられることを特徴とする請求項２に記載の画像形成装置。
【請求項４】
前記操作部を介してパスワードを入力された後に、前記設定画面が表示されることを特徴とする請求項２又は３に記載の画像形成装置。
【請求項５】
前記設定画面は、前記画像形成装置の保守用の画面である事を特徴とする請求項２に記載の画像形成装置。
【請求項６】
前記制御部は、前記ジョブに含まれる設定情報に基づいて前記決定を行うことを特徴とする請求項１乃至５の何れか１項に記載の画像形成装置。
【請求項７】
前記ジョブに含まれる設定情報は、ページ記述言語による設定であることを特徴とする請求項６に記載の画像形成装置。
【請求項８】
前記ジョブに含まれる設定情報は、ジョブ制御コマンドによる設定であることを特徴とする請求項６に記載の画像形成装置。
【請求項９】
前記制御部は、前記手差しトレイから特定の用紙が給紙される場合には、前記手差しトレイに置かれた用紙のサイズ情報をユーザに設定させずに、ジョブの再開のための指示が前記操作部を介して受け付けられたことに応じて該用紙を給紙させることを特徴とする請求項１乃至８の何れか１項に記載の画像形成装置。
【請求項１０】
前記特定の用紙は長尺用紙であることを特徴とする請求項９に記載の画像形成装置。
【発明の詳細な説明】
【技術分野】
【０００１】
本発明は、シートに画像を形成する画像形成装置に関する。
【背景技術】
【０００２】
複写機やプリンタ、ファクシミリ等の画像形成装置は、用紙を収納する用紙収納部を備えており、用紙収納部に収納された用紙を一枚ずつ給紙して画像形成を行う。用紙収納部には、比較的大量の用紙を収納できる給紙カセットや給紙デッキ、少量用紙を簡単にセットできる手差しトレイ等が存在する。手差しトレイは、給紙カセットや給紙デッキに収納できないような特殊な用紙、例えば長尺用紙などを置く場合に使用される。
【０００３】
ところで、手差しトレイに対して用紙サイズを設定する方法として様々な方法が従来提案されている。特許文献１には、手差しトレイに設けられたセンサーにより用紙が置かれた事を検知すると、用紙サイズ設定画面を操作部に表示して、その設定画面から指定された用紙サイズを手差しトレイに対して設定する方法が提案されている。
【０００４】
また別の方法として、特許文献２には、事前に管理者やユーザが手差しトレイの用紙サイズを設定しておき、用紙が置かれたことを検知したタイミングでは用紙サイズ設定を省略する、という方法が提案されている。
【先行技術文献】
【特許文献】
【０００５】
【特許文献１】特開平９−２３０６４９号公報
【特許文献２】特開２００５−１９４０２０号公報
【発明の概要】
【発明が解決しようとする課題】
【０００６】
特許文献２のように、用紙が置かれたことを検知したときに用紙サイズの設定を省略する方法は、ユーザの設定作業の手間を軽減するという点においては利点があるものの、ユーザの使い方次第では次のような問題が起こる場合がある。
【０００７】
それは、ジョブの途中で用紙なしが発生した場合である。用紙なしの発生によりジョブが中断した場合、ユーザは手差しトレイに用紙を補給する。画像形成装置は、用紙が手差しトレイに置かれたことを検知すると、中断したジョブを再開すべく、即座に給紙を開始する。つまりユーザの指示なしに自動的に給紙を開始する。しかしながら、ユーザは、手差しトレイに用紙を置いた後にその用紙を整合したり向きを調整したりする場合がある。このような作業をしている最中に画像形成装置が給紙を開始してしまうと、用紙の斜行によりジャムが発生する可能性がある。
【０００８】
一方で、特許文献１のように、紙が手差しトレイに置かれた時点で必ず用紙サイズをユーザに設定させる方法を採用すれば上記のような問題は解決する。しかしながら、ジョブの途中で用紙無しが発生した場合にまで改めて用紙サイズの設定をユーザに強いることになる。そのような作業が苦にならないユーザにしてみればこの方法でも問題はないが、ユーザによってはジョブの途中での用紙サイズの設定作業を行いたくないと考えるユーザもいる。
【０００９】
本発明は、これらの問題に鑑みてなされたものであり、その目的とするところは、用紙なし発生によるジョブ中断後の給紙開始の条件を装置の使用環境に応じて設定させることができる画像形成装置を提供することにある。
【課題を解決するための手段】
【００１０】
上記目的を達成するために、本発明における画像形成装置は、用紙が積載される手差しトレイと、前記手差しトレイから給紙された用紙に画像形成を行う画像形成部と、ユーザ指示を受け付ける操作部と、前記操作部を介して受け付けられた、前記手差しトレイの用紙サイズ情報を記憶する記憶部と、前記手差しトレイが指定され、且つ用紙サイズ情報が指定されたジョブを外部装置から受信する受信部と、前記受信部により受信されたジョブによって指定された用紙サイズ情報と、前記記憶部に記憶された前記手差しトレイの用紙サイズ情報とが対応すると判定したことに基づき、前記手差しトレイから前記画像形成部に用紙を給紙させる制御部と、を有し、前記制御部は、前記画像形成部が前記ジョブの受信に基づき前記画像形成を開始した場合において、用紙なしが発生したときは、前記画像形成を一時中断させ、前記画像形成の中断後に前記手差しトレイに用紙が置かれたことを検知した場合、（１）前記手差しトレイに置かれた用紙のサイズ情報を、前記操作部を介して受け付けた後に用紙を給紙するか、（２）前記手差しトレイに置かれた用紙のサイズ情報を受け付けず、ジョブを再開するための指示が前記操作部を介して受け付けられたことに応じて該用紙を給紙するか、（３）前記手差しトレイに置かれた用紙を、前記操作部からのユーザ指示なしに、前記検知部による用紙の検知に応じて給紙するか、を決定することを特徴とする。
【発明の効果】
【００１１】
本発明によれば、用紙なし発生によるジョブ中断後の用紙補給時、ユーザの所望するタイミングで給紙を開始させる事ができる。
【図面の簡単な説明】
【００１２】
【図１】本実施形態に係る画像形成装置を含むシステムの概略構成を示す図
【図２】画像形成装置の概略構成を示すブロック図である。
【図３】固定モード又は毎回設定モードの設定画面を示す図
【図４】即時給紙の許可又は禁止を設定する処理を示すフローチャート
【図５】即時給紙の許可又は禁止を設定する画面を示す図
【図６】プリンタドライバによって印刷データを生成する処理を示すフローチャート
【図７】プリンタドライバの設定画面を示す図
【図８】受信した印刷ジョブに基づき画像形成を実行する動作を示すフローチャート
【図９】毎回設定モードにおいて用紙情報を設定する画面を示す図
【図１０】即時給紙の禁止が設定されている場合に操作部に表示される画面図
【図１１】管理者によるログインを行うための画面図
【図１２】即時給紙の許可又は禁止を設定する処理を示すフローチャート
【図１３】プリンタドライバの設定画面を示す図
【図１４】受信した印刷ジョブに基づき画像形成を実行する動作を示すフローチャート
【図１５】用紙サイズ情報の設定画面を示す図
【発明を実施するための形態】
【００１３】
以下、図面を参照しながら、本発明に係る実施の形態を詳しく説明する。なお以下の実施形態は特許請求の範囲に係る本発明を限定するものでなく、また本実施形態で説明されている特徴の組み合わせの全てが本発明の解決手段に必須のものとは限らない。
【００１４】
（システム構成）
図１は、本実施形態に係る画像形成装置を含むシステムの概略構成を示す図である。本システムにおいて、ホストコンピュータ１０１と画像形成装置１０２は、ネットワークを介して互いに通信可能に接続されている。ホストコンピュータ１０１は外部装置の一例であり、任意の文書作成アプリケーションを用いて文書データを作成し、プリンタドライバにより印刷データを生成する。
【００１５】
画像形成装置１０２は、給紙デッキ２０２、２０３、２０４、２０５、手差しトレイ２０６を備えており、これらの給紙部に大小様々な用紙をセットすることができる。排紙ビン２０７は、画像形成装置１０２に装着され、画像形成装置１０２により印刷された用紙が排紙される。画像読取装置２０８は、原稿上の画像を照明し、ＣＣＤラインセンサにより原稿を走査することにより、その原稿の画像を電気的な画像データに変換し、この画像データから原稿のカラー判定やシートサイズ判定などを行う。
【００１６】
なお、本システムでは、次のようなフローを想定している。ホストコンピュータ１０１上の文書作成アプリケーションで生成されたドキュメントデータは、プリンタドライバ３０３を介してＰＤＬデータに変換され、ＰＤＬデータが画像形成装置１０２に送信される。その後、画像形成装置１０２は手差しトレイ２０６から用紙を給紙し、ＰＤＬデータから変換されたイメージデータをもとに用紙に画像を印刷し、その用紙を排紙ビン２０７に排紙するというフローである。
【００１７】
図２は、ホストコンピュータ１０１と画像形成装置１０２の構成を示すブロック図である。３０２はホストコンピュータ１０１に格納されているドキュメントデータ等である。ここでいうドキュメントデータとは任意の文書作成アプリケーション（不図示）で作成されたデータを示している。プリンタドライバ３０３は、ドキュメントデータ３０２からＰＤＬ（Ｐａｇｅ  Ｄｅｓｃｒｉｐｔｉｏｎ  Ｌａｎｇｕａｇｅ）データの作成をする。ここでいうＰＤＬとは、ＰＳ・ＰＣＬ・ＬＩＰＳ等のページ記述言語を示すものとする。もちろん前述以外のページ記述言語であってもよい。
【００１８】
記憶領域３０４には、ドキュメントデータ３０２やプリンタドライバ３０３、及びドキュメントデータ３０２を作成するためのアプリケーション（不図示）のプログラムが格納される。通信インターフェイス３０５は、プリンタドライバ３０３が作成したＰＤＬデータを送信するためのインターフェイスである。通信インターフェイス３０７は、ホストコンピュータ１０１から送信されてくるＰＤＬデータを受け取るためのインターフェイスである。データ受信部３０８は、通信インターフェイス３０７を介して送信されてきたＰＤＬデータを受信し、格納する。インタプリタ３０９は、データ受信部３０８で受信したＰＤＬデータの解析を行う。なおインタプリタ３０９は、ＰＳ・ＰＣＬ・ＬＩＰＳ等のＰＤＬのフォーマットを解析できるものとする。もちろん、前述以外のフォーマットであってもよい。
【００１９】
中間データ３１０は、データ受信部３０８が受信したＰＤＬデータをインタプリタ３０９が解析して、変換したものである。レンダラー部３１１は、中間データ３１０を解析し、イメージデータに変換する。イメージデータ記憶部３１２は、レンダラー部３１１の処理結果として得られるイメージデータを格納する。
【００２０】
プリンタエンジン３１３は、イメージデータ記憶部３１２に格納されているイメージデータをビデオ信号に変換して印刷する画像形成部である。スキャナ３１４は原稿を読み取る画像読取手段である。なおスキャナ３１４が読み取った画像はイメージデータとしてイメージデータ記憶部３１２に格納される。記憶部３１５は、イメージデータ記憶部３１２に格納されているイメージデータを保存するために使われる。また操作部３１７を介して設定された各種印刷の設定値を保存するためにも使われる。制御部３１６は、本実施例の各種処理を行なうためのプログラムを実行する。
【００２１】
（毎回設定モード又は固定モードの設定処理）
図３は、給紙段のモード設定処理を説明するフローチャートである。この給紙段のモード設定処理では、ユーザが手差しトレイ２０６に用紙を補給する度に、用紙サイズ情報と用紙タイプを含む用紙情報の設定を行うか否かのモード選択を行う。本実施形態では、モードとして「毎回設定モード」と「固定モード」とがある。
【００２２】
毎回設定モードとは、手差しトレイ２０６に用紙を補給する度に用紙情報の設定を行うモードである。毎回設定モードが設定されているときは、用紙が補給される度に必ず用紙サイズ情報や用紙タイプ情報の設定が行われる。毎回設定モードは、サイズやタイプの異なる用紙を頻繁に手差しトレイ２０６に差し替えてセットして印刷を行う使用環境を想定している。毎回設定モードは、間違った用紙が給紙されることを確実に防ぎたいユーザにとっては使い勝手の良いモードである。ただし、例えば用紙なしの発生により印刷ジョブが途中で一時中断し、ユーザが用紙を補給したときにも、用紙情報の設定処理が必要となる。
【００２３】
一方で、固定モードとは、事前に用紙サイズ情報と用紙タイプ情報を手差しトレイ２０６に設定するモードである。固定モードは、毎回設定モードと異なり、用紙が補給される度に用紙サイズ情報や用紙タイプ情報の設定を行う必要がない。そのため、同じ用紙サイズ／用紙タイプを手差しトレイ２０６にセットして使用することが多いユーザにとっては、用紙情報の設定作業が省略されるため非常に使い勝手の良いモードである。
【００２４】
ステップＳ１００１において、制御部３１６は、給紙段のモード設定処理の処理を開始する。ステップＳ１００２において、制御部３１６は、操作部３１７に図４の給紙段のモード設定画面を表示させ、給紙段のモードを設定するための画面１７０１を介して行われた設定値を記憶部３１５に格納する。なお、給紙段のモード設定処理は、後述する印刷ジョブが受信さえる前に事前に行われる処理である。
【００２５】
図４（ａ）において、画面１７０１は給紙段のモード設定の画面である。タブ１７０２は給紙段のモード設定の画面が選択されている事を示すタブである。設定ボタン１７０３は「毎回設定モード」を有効にするための設定ボタンである。設定ボタン１７０４は「固定モード」を有効にするための設定ボタンであり、図４（ａ）では、設定ボタン１７０４が選択されている状態を示している。設定ボタン１７０３と設定ボタン１７０４は、排他の関係にあり、同時に設定できないように制御部３１６が排他制御を行う。
【００２６】
ステップＳ１００３において、制御部３１６は、記憶部３１５から給紙段のモード設定（ステップＳ１００２）で設定された値を読み出し、「固定モード」か「毎回設定モード」かを判定する。もし制御部３１６が「固定モード」であると判定した場合には、ステップＳ１００４に進む。もし制御部３１６が「毎回設定モード」であると判定した場合には、ステップＳ１００６に進む。
【００２７】
ステップＳ１００４において、制御部３１６は、操作部３１７に、用紙サイズ情報を設定するための画面（図４（ｂ））を表示させ、この画面を介して設定された用紙サイズ情報を記憶部３１５に格納する。
【００２８】
図４（ｂ）において、画面１８０１は、固定モードの設定画面を示している。タブ１８０２は固定モードの画面が選択されている事を示すタブである。説明文１８０３は、固定モードにおいて用紙サイズ情報を設定するための設定画面が表示されている事を示す説明文である。選択肢１８０４は用紙サイズ「Ａ３」の選択肢を示している。選択肢１８０５は用紙サイズ「Ａ４」の選択肢を示している。本実施形態では選択肢１８０５が選択されている状態（グレイ表示）を示している。選択肢１８０６は用紙サイズ「Ａ５」の選択肢を示している。選択肢１８０７は用紙サイズ「Ａ４Ｒ」の選択肢を示している。選択肢１８０８は用紙サイズ「Ａ５Ｒ」の選択肢を示している。選択肢１８０９は用紙サイズ「はがき」の選択肢を示している。選択肢１８１０は用紙サイズ「封筒」の選択肢を示している。選択肢１８１１は用紙サイズ「フリーサイズ」の選択肢を示している。ボタン１８１２は画面１７０１に戻るための「戻る」ボタンである。ボタン１８１３は図４（ｃ）固定モードの用紙タイプ設定画面に進めるための「次へ」ボタンである。
【００２９】
ステップＳ１００５において、制御部３１６は操作部３１７に固定モード画面の用紙タイプの設定画面（図４（ｃ））を表示し、設定された用紙タイプを記憶部３１５に格納する。
【００３０】
図４（ｃ）において、画面１９０１は固定モードの設定画面を示している。タブ１９０２は固定モードの画面が選択されている事を示すタブである。説明文１９０３は固定モードの用紙タイプ設定画面が表示されている事を示す説明文である。選択肢１９０４は用紙タイプ「普通紙１」の選択肢を示している。本実施例では選択肢１９０４が選択されている状態（グレイ表示）を示している。選択肢１９０５は用紙タイプ「再生紙１」の選択肢を示している。選択肢１９０６は用紙タイプ「色紙１」の選択肢を示している。選択肢１９０７は用紙タイプ「厚紙」の選択肢を示している。選択肢１９０８は用紙タイプ「コート紙」の選択肢を示している。選択肢１９０９は用紙タイプ「はがき」の選択肢を示している。選択肢１９１０は用紙タイプ「封筒」の選択肢を示している。選択肢１９１１は用紙タイプ「タブ紙」の選択肢を示している。ボタン１９１２は給紙段のモードを設定する画面１８０１に戻るための「戻る」ボタンである。ボタン１９１３は固定モードの設定確定を行うためのボタンである。
【００３１】
ステップＳ１００６において、制御部３１６は図５のフローチャートを終了する。
【００３２】
（即時給紙の許可又は禁止の設定処理）
次に、本実施形態の特徴である即時給紙の許可又は禁止の設定処理について説明する。ここで設定される設定情報は、固定モードが設定されている場合で、且つ、印刷ジョブの中断後に手差しトレイ２０６に用紙が置かれた場合に、自動的に給紙を開始するか、ユーザからの給紙開始の指示を待って給紙を開始するかを決定するために用いられる。
【００３３】
ところで、固定モードが設定されている場合、従来の画像形成装置は、用紙なしの発生により印刷ジョブが途中で一時中断し、ユーザが用紙を補給したときに、その時点で自動的に給紙を開始していた。つまり、ユーザの指示なしに自動的に給紙を開始していた。ところが、手差しトレイに用紙を置いた後にその用紙を整合したり向きを調整したりする場合があるので、このような作業をしている最中に画像形成装置１０２が給紙を開始すると、用紙の斜行によりジャムが発生し、所望とする印刷物が出力されないことがある。
【００３４】
そこで本実施形態では、固定モードが設定され、且つ用紙なしの発生により印刷ジョブが途中で一時中断し、ユーザが用紙を補給したときに、自動給紙を行うかユーザ指示を待って給紙を行うかを切り替える為の設定を設けている。
【００３５】
図５は、即時給紙の許可または禁止の設定処理を行うための画面例である。即時給紙の設定処理は、印刷ジョブ処理中に用紙無しが発生した場合に、ユーザが手差しトレイ２０６に用紙を補給した直後に給紙を開始するか否かの設定である。この設定は、制御部３１６により操作部３１７に表示される。操作部３１７を介して行われた設定は記憶部３１５に格納される。
【００３６】
図５において、画面１６０１は即時給紙開始設定の画面を示している。タブ１６０２は即時給紙開始設定の画面が選択されている事を示すタブである。設定ボタン１６０３は即時給紙開始を「許可する」ための設定ボタンである。設定ボタン１６０４は即時給紙開始を「許可しない」ための設定ボタンであり、この設定がされている状態（グレイ表示）を示している。設定ボタン１６０３と１６０４は排他の関係にあり、制御部３１６が排他制御を行う。
【００３７】
（プリンタドライバの処理）
図６は、ホストコンピュータ１０１のプリンタドライバ３０３によって実行される処理を示すフローチャートである。プリンタドライバ３０３は、図７のプリンタドライバ設定画面上でユーザにより入力された情報に基づき、印刷データを生成し、画像形成装置１０２へと送信する。
【００３８】
図７において、画面１５０１は、プリンタドライバのＵＩ画面である。タブ１５０２は、プリンタドライバＵＩの「印刷設定」画面を表示している事を示すタブである。設定欄１５０３は、用紙サイズ情報の設定を行うための設定欄である。この例では「原稿サイズ」が設定されている。他にも、「Ａ４」や「Ａ３」等の画像形成装置１０２で給紙可能な用紙サイズを示す用紙サイズ情報が表示されるものとする。なお、右側の△▽を押下する事で、設定の変更が可能であるものとする。設定欄１５０４は、用紙タイプ設定を行うための設定欄である。この例では「普通紙１」が設定されている。他にも「色紙１」や「厚紙」等の画像形成装置１０２で給紙可能な用紙タイプが表示されるものとする。なお、右側の△▽を押下する事で、設定の変更が可能であるものとする。設定欄１５０５は、給紙段設定を行うための設定欄である。この例では「手差しトレイ」が設定されている。他にも「給紙デッキ１」や「給紙デッキ２」等、画像形成装置１０２で給紙可能な給紙段が表示されるものとする。なお右側の△▽を押下する事で設定の変更が可能であるものとする。
【００３９】
Ｓ５０２で、ユーザからの指示に基づき、任意の文書作成アプリケーションはドキュメントデータ３０２を生成する。なお本実施形態ではドキュメントデータのサイズが「Ａ４」になっている場合を扱うものとする。
【００４０】
ステップＳ５０３において、プリンタドライバ３０３は、図７の画面１５０１にて用紙サイズ情報の設定欄１５０３を行う。この例では「原稿サイズ」が設定されている。なお原稿サイズはドキュメントデータ３０２のページのサイズを示しており、「Ａ４」で設定される。
【００４１】
ステップＳ５０４において、プリンタドライバ３０３は、画面１５０１にて、用紙タイプ情報の設定欄１５０４を行う。この例では「普通紙１」が設定されている。ステップＳ５０５において、プリンタドライバ３０３は、画面１５０１にて、用紙を給紙するための給紙段の設定を行う。この例では「手差しトレイ」が設定されている。これにより、印刷を行うための用紙は手差しトレイ２０６から給紙される。
【００４２】
ステップＳ５０６において、プリンタドライバ３０３は、ドキュメントデータ３０２をＰＤＬデータに変換する。なお、ＰＤＬデータは、ＰＳ、ＰＣＬ、ＬＩＰＳなどのページ記述言語を示すものとするが、前記以外のページ記述言語であっても構わないものとする。またプリンタドライバ３０３は、ステップＳ５０３で設定した用紙サイズ情報と、ステップＳ５０４で設定した用紙タイプ情報と、ステップ５０５で設定した給紙段設定情報を、ＰＤＬデータに付加する。
【００４３】
ステップＳ５０７において、プリンタドライバ３０３は、通信インターフェイス３０５を介してステップＳ５０６で生成されたＰＤＬデータを画像形成装置１０２に送信し、ステップＳ５０８において制御部３１６は図６のフローチャートを終了する。
【００４４】
（画像形成装置における画像形成処理）
図８は、画像形成装置における印刷処理を示すフローチャートである。ステップＳ８０１において、制御部３１６は印刷処理の処理系を開始する。ステップＳ８０２において、制御部３１６は処理中のページ数を示すパラメータ（Ｐ）をＰ＝１に初期化する。なおＰはＰ≧１  を満たす整数値とする。ステップＳ８０３において、制御部３１６は、パラメータＰが総ページ数を示す変数Ｐ＿ＭＡＸを超えているかどうか判定する。総ページ数Ｐ＿ＭＡＸは記憶部３１５に格納されており（ステップＳ７０４）、制御部３１６が記憶部３１５から読み出す。パラメータＰがＰ＿ＭＡＸを超えていない場合には、制御部３１６はまだ処理可能なページがあると判断し、ステップＳ８０４に進む。パラメータＰがＰ＿ＭＡＸを超える場合には、制御部３１６は処理可能なページがないと判断し、ステップＳ８１７に進む。
【００４５】
ステップＳ８０４において、制御部３１６はイメージデータ記憶部３１２から処理中のページＰのイメージデータを読み出す。ステップＳ８０５において、制御部３１６は手差しトレイ２０６から紙を給紙する要求を行う。なお、ここでは、制御部３１６は、印刷ジョブで指定されている用紙サイズ情報と、手差しトレイ２０６に設定されている用紙サイズ情報が対応しているか否かを判定し、対応していると判定したことに基づき上記給紙要求を行う。ステップＳ８０６において、制御部３１６は手差しトレイ２０６に用紙が存在するか否かを、手差しトレイ２０６に設置されている検知部により判断する。制御部３１６が手差しトレイ２０６に用紙が無いと判断した場合には、ステップＳ８０７に進む。制御部３１６が手差しトレイ２０６に用紙があると判断した場合にはステップＳ８１４に進む。
【００４６】
ステップＳ８０７において、制御部３１６は手差しトレイ２０６に用紙が補給されたか否かを、手差しトレイ２０６に設置されている不図示の検知部により判断する。なお用紙の補給はユーザによって行われる。制御部３１６が手差しトレイ２０６に用紙が補給されたと判断した場合にはステップＳ８０８に進む。制御部３１６が手差しトレイ２０６に用紙が補給されていないと判断した場合には、用紙が補給されるまでステップＳ８０７を繰り返す。なお、制御部３１６は用紙が補給された際に、不図示の検知部により用紙の幅のサイズを獲得する事ができる。そして制御部３１６は、記憶部３１５に格納されているＰＤＬデータの用紙サイズ情報（ステップ７０４）の用紙幅と異なる用紙幅の用紙がセットされたと判定した場合には、操作部３１７にエラー画面を表示させる。このエラー画面には、異なる用紙がセットされた旨（ガイドエラー）が表示される。そして制御部３１６は正しい用紙が補給されるまで、操作部３１７にエラー画面を表示し、正しい用紙が補給されれば、ステップＳ８０８に進む。
【００４７】
ステップＳ８０８において、制御部３１６は、給紙段のモード設定処理（ステップＳ４０３）で設定されたモードの判定処理を行う。そして、制御部３１６は、給紙段のモード設定値を記憶部３１５から読み出す。もし、制御部３１６が給紙段のモード設定処理（ステップ４０３）で設定されたモードが「固定モード」であると判定した場合には、ステップＳ８０９に進む。もし、制御部３１６が給紙段のモード設定処理（ステップ４０３）で設定されたモードが「毎回設定モード」であると判定した場合には、ステップＳ８１１に進む。
【００４８】
ステップＳ８０９において、制御部３１６は、固定モードで使用するために設定されている用紙情報（用紙サイズ情報、用紙タイプ情報）を記憶部３１５から読み出す。ステップＳ８１０において、制御部３１６は、記憶部３１５から即時給紙開始設定処理（ステップＳ４０２）で設定された設定値を読み出し、即時給紙の設定の判定を行う。もし、制御部３１６は記憶部３１５から読み出した即時給紙の設定が「許可する」であると判定した場合には、ステップＳ８１４に進む。もし、制御部３１６は記憶部３１５から読み出した即時給紙開始設定の設定値が「許可しない」であると判定した場合には、ステップＳ８１２に進む。
【００４９】
ステップＳ８１１において、制御部３１６は、手差しトレイ２０６に設置されている検知部（不図示）にて、用紙がセットされた事を検知すると、操作部３１７に毎回設定モード画面の用紙サイズ設定画面（図９）を表示する。
【００５０】
図９において、画面２３０１は毎回設定モードの設定画面を示している。タブ２３０２は毎回設定モード画面が選択されている事を示すタブである。説明文２３０３は毎回設定モードにおいて用紙サイズ情報を設定するための設定画面が表示されている事を示す説明文である。選択肢２３０４は用紙サイズ「Ａ３」の選択肢を示している。選択肢２３０５は用紙サイズ「Ａ４」の選択肢を示している。本実施例ではこの項目が選択されている状態（グレイ）を示している。選択肢２３０６は用紙サイズ「Ａ５」の選択肢を示している。選択肢２３０７は用紙サイズ「Ａ４Ｒ」の選択肢を示している。選択肢２３０８は用紙サイズ「Ａ５Ｒ」の選択肢を示している。選択肢２３０９は用紙サイズ「はがき」の選択肢を示している。選択肢２３１０は用紙サイズ「封筒」の選択肢を示している。選択肢２３１１は用紙サイズ「フリーサイズ」の選択肢を示している。ボタン２３１２は毎回設定モード画面の用紙タイプ設定画面（図９（ｂ））に遷移させるための「次へ」ボタンである。そして、制御部３１６は、「次へ」ボタン２３１２が押下された事を検知した場合には、操作部３１７に毎回設定モード画面の用紙タイプの設定画面（図９（ｂ））を表示する。
【００５１】
図９（ｂ）において、画面２４０１は毎回設定モード画面を示している。タブ２４０２は毎回設定モード画面が選択されている事を示すタブである。説明文２４０３は毎回設定モードの用紙タイプ設定画面が表示されている事を示す説明文である。選択肢２４０４は用紙タイプ「普通紙１」の選択肢を示している。本実施例ではこの項目が選択されている状態（グレイ）を示している。選択肢２４０５は用紙タイプ「再生紙１」の選択肢を示している。選択肢２４０６は用紙タイプ「色紙１」の選択肢を示している。選択肢２４０７は用紙タイプ「厚紙」の選択肢を示している。選択肢２４０８は用紙タイプ「コート紙」の選択肢を示している。選択肢２４０９は用紙タイプ「はがき」の選択肢を示している。選択肢２４１０は用紙タイプ「封筒」の選択肢を示している。選択肢２４１１は用紙タイプ「タブ紙」の選択肢を示している。ボタン２４１２は毎回設定モード画面の用紙サイズ設定画面（図９（ａ））に戻るための「戻る」ボタンである。ボタン２４１３は用紙情報（用紙サイズ情報と用紙タイプ情報）の設定を確定するためのボタンである。そして、制御部３１６はボタン２４１３が押下された事を検知した場合には、用紙サイズ情報の設定画面（図９（ａ））を介して設定された設定値と、用紙タイプ情報の設定画面（図９（ｂ））を介して設定された設定値を記憶部３１５に格納する。
【００５２】
ステップＳ８１２において、制御部３１６は給紙開始の指示を行うためのＵＩ画面（図１０）を操作部３１７に表示させる。図１０において、画面２００１は、給紙開始の指示を行うための画面を示している。画面２００１には、「給紙の準備ができたらＯＫボタンを押してください。」という情報２００２が表示される。この画面２００１が操作部３１７に表示されている間に、ユーザは用紙の後端を整合したり向きを調節したりする作業を行う。ボタン２００３は、中断したジョブを再開するための指示を行うためのボタンである。ユーザがボタン２００３を押下する事で、ジョブの再開の指示を行う事ができる。なお、画面２００２に表示される情報は図１０に示したメッセージに限定されず、用紙の確認を促す情報等を表示してもよい。また、中断中のジョブの情報（例えばジョブの識別情報や用紙サイズ、用紙タイプの情報）を表示してもよい。
【００５３】
そして、制御部３１６が操作部３１７からのボタン２００３が押下された事を検知していない間は、ステップＳ８１２の制御を繰り返す。もし制御部３１６が操作部３１７からボタン２００３が押下された事を検知した場合には、ステップＳ８１３に進む。
【００５４】
ステップＳ８１３において、制御部３１６は手差しトレイ２０６から用紙の給紙を開始する要求を行う。ステップＳ８１４において、制御部３１６はイメージデータ記憶部３１２に格納されているイメージデータをビデオデータに変換して、プリンタエンジン３１３に転送する。
【００５５】
ステップＳ８１５において、制御部３１６は、手差しトレイ２０６から給紙された用紙に、ステップＳ８１４で転送されたビデオデータを用いて印刷を行うようにプリンタエンジン３１３を制御する。ステップＳ８１６において、制御部３１６は処理中のページを示すパラメータＰを次のページに変更（Ｐ＝Ｐ＋１）する。ステップＳ８１７において、制御部３１６は図８のフローチャートの処理を終了する。
【００５６】
以上、本実施形態によれば、用紙なし発生によるジョブ中断後の用紙補給時に、毎回設定モードが設定されている場合は、ユーザに用紙サイズ情報を設定させてから給紙を行う。また固定モードが設定されている場合で、且つ即時給紙を許可しないことが設定されている場合は、ユーザに用紙サイズ情報を設定させることはせずに、給紙開始の指示を受け付けたことに応じて給紙を行う。また固定モードが設定されている場合で、且つ即時給紙を許可することが設定されている場合は、自動的に給紙を行う。このような少なくとも３つの方法で給紙タイミングを制御するため、ユーザの所望する方法でジョブ中断後の給紙タイミングを制御することができ、使い勝手の良い装置を提供することができる。
【００５７】
（変形例）
なお、上述した説明では、即時給紙の許可または禁止の設定処理はユーザが行うものとして説明した。しかしながら、この設定処理は、ユーザではなく管理者の指示で行ってもよい。管理者の指示で設定処理を行う場合は、図５の設定画面の表示前に図１１に示す画面２１０１にてログインする操作が必要である。
【００５８】
図１１において、画面２１０１は管理者ログイン用の画面を示している。タブ２１０２は管理者ログイン用の画面が選択されている事を示すタブである。フィールド２１０３はユーザ名を入力するためのフィールドであり、「ａｄｍｉｎｉｓｔｒａｔｏｒ」と入力されている。フィールド２１０４はパスワードを入力するためのフィールドであり、入力されたパスワードの文字列を「＊＊＊＊＊＊＊＊＊＊＊」に変換して表示している。ボタン２１０５はログインするためのボタンであり、フィールド２１０３に入力されたユーザ名とフィールド２１０４に入力されたパスワードが正しい組み合わせの場合にのみログイン可能になる。そして、制御部３１６は、管理者として画像形成装置１０２にログインできたと判定した場合には、図５の設定画面を操作部３１７に表示させる。これにより、認証された者のみが即時給紙の許可又は禁止を設定可能となる。
【００５９】
また、上述した説明では、ユーザまたは管理者の指示で即時給紙の許可または禁止の設定処理を行う例を説明した。しかし、ユーザや管理者ではなく、画像形成装置１０２の設置や保守を行うサービスマンが保守用の画面を介して設定を行うものでもよい。
【００６０】
なお上述した説明では、即時給紙の許可又は禁止の設定処理は、印刷ジョブが受信するのに先立って、画像形成装置の操作部から行うものとして説明した。しかしながら、この設定処理は、画像形成装置ではなくプリンタドライバのＵＩを介して設定し、その設定情報を印刷ジョブとともに受信することも可能である。プリンタドライバのＵＩを介した設定処理は、図１２、図１３に示す処理に従って行われる。
【００６１】
図１２は、即時給紙に関する設定処理の他の方法を示すフローチャートである。この例では、ＵＩ画面からの設定ではなく、ページ記述言語もしくはジョブ制御コマンドを使用して設定を行う。ここで、ページ記述言語はＰＳ、ＰＣＬ、ＬＩＰＳなどを指すものとする。もちろん、これ以外であっても構わない。またジョブ制御コマンドは、ＰＪＬ（Ｐｒｉｎｔｅｒ  Ｊｏｂ  Ｌａｎｇｕａｇｅ）などを指すものとする。もちろん、これ以外であっても構わない。さらに、ページ記述言語による設定やジョブ制御コマンドによる設定がＵＩ画面による設定と重複する場合であってもよく、その場合はページ記述言語もしくはジョブ制御コマンドによる設定が優先されるものとする。また、ページ記述言語による設定とジョブ制御コマンドによる設定が重複された場合にはページ記述言語の設定が優先されるものとする。
【００６２】
図１３において、画面２２０１はプリンタドライバによって提供されるＵＩである。タブ２２０２は、プリンタドライバＵＩの「印刷設定」画面を表示している事を示すタブである。設定欄２２０３は、用紙サイズ情報の設定を行うための設定欄である。この例では「原稿サイズ」が設定されている。他にも、「Ａ４」や「Ａ３」等の画像形成装置１０２で給紙可能な用紙サイズ情報が表示されるものとする。なお、右側の△▽を押下する事で、設定の変更が可能であるものとする。設定欄２２０４は、用紙タイプ設定を行うための設定欄である。この例では「普通紙１」が設定されている。他にも「色紙１」や「厚紙」等の印刷装置で給紙可能な用紙タイプが表示されるものとする。なお、右側の△▽を押下する事で、設定の変更が可能であるものとする。設定欄２２０５は、給紙段設定を行うための設定欄である。この例では「手差しトレイ」が設定されている。他にも「給紙デッキ１」や「給紙デッキ２」等の印刷装置で給紙可能な給紙段が表示されるものとする。なお、右側の△▽を押下する事で、設定の変更が可能であるものとする。設定欄２２０６は、即時給紙の設定を行うための設定欄である。この例では「許可しない」が設定されている。他には「許可する」の設定が可能である。なお、右側の△▽を押下する事で、設定の変更が可能であるものとする。この設定欄で設定された設定値をページ記述言語、もしくはジョブ制御コマンドに反映させる。なお、ページ記述言語を用いるか、ジョブ制御コマンドを用いるかは、画像形成装置１０２の処理能力によって決定するものとし、両方とも処理可能である場合はプリンタドライバ側で任意に決定できるものとする。
【００６３】
ステップＳ１３０１において、制御部３１６は、即時給紙の設定処理の処理を開始する。ステップＳ１３０２において、制御部３１６は、ページ記述言語、もしくはジョブ制御コマンドの解析を行う。ステップＳ１３０３において、制御部３１６は、ページ記述言語もしくはジョブ制御コマンドの解析にて、即時給紙の許可設定を示すコマンドが存在するか否かを判定する。もし、制御部３１６は該コマンドが存在すると判定された場合には、ステップＳ１３０３に進む。もし、制御部３１６は該コマンドが存在しないと判定した場合には、ステップＳ１３０５に進む。
【００６４】
ステップＳ１３０４において、制御部３１６は解析結果（Ｓ１３０３）の結果に応じた即時給紙の設定に関する設定値を記憶部３１５に格納する。ステップＳ１１０５において、制御部３１６は当該処理を終了する。
【００６５】
以上の説明では、即時給紙の設定が「許可しない」に設定されている場合は、用紙サイズ情報に関わらずユーザ指示を待って給紙を開始する形態について説明した。しかしながら、給紙する用紙のサイズ情報を考慮して給紙開始を制御してもよい。
【００６６】
図１４は、図８に示した印刷処理のフローチャートの変形例である。ステップＳ１４０１において、制御部３１６は印刷処理を開始する。ステップＳ１４０２において、制御部３１６は処理中のページ数を示すパラメータＰをＰ＝１に初期化する。なおＰはＰ≧１を満たす整数値とする。ステップＳ１４０３において、制御部３１６は、パラメータＰが総ページ数を示す変数Ｐ＿ＭＡＸを超えているかどうか調査する。なお総ページ数Ｐ＿ＭＡＸは記憶部３１５に格納されており（ステップＳ７０５）、制御部３１６は記憶部３１５から読み出す。もしパラメータＰがＰ＿ＭＡＸを超えていない場合には、制御部３１６はまだ処理可能なページがあると判断し、ステップＳ１４０４に進む。もし、パラメータＰがＰ＿ＭＡＸを超える場合には、制御部３１６は処理可能なページがないと判断し、ステップＳ１４２０に進む。
【００６７】
ステップＳ１４０４において、制御部３１６はイメージデータ記憶部３１２から処理中のページＰのイメージデータを読み出す。ステップＳ１４０５において、制御部３１６は手差しトレイ２０６に給紙要求を行う。ステップＳ１４０６において、制御部３１６は手差しトレイ２０６に用紙が存在するか否かを、手差しトレイ２０６に設置されている不図示の検知部からの検知結果に基づき判断する。もし、制御部３１６が手差しトレイ２０６に用紙が無いと判断した場合には、ステップＳ１４０７に進む。もし、制御部３１６が手差しトレイ２０６に用紙があると判断した場合には、ステップＳ１４１６に進む。
【００６８】
ステップＳ１４０７において、制御部３１６は手差しトレイ２０６に用紙が補給されたか否かを、手差しトレイ２０６に設置されているセンサーにより判断する。なお、用紙の補給はユーザによって行われる。もし、制御部３１６が手差しトレイ２０６に用紙が補給されたと判断した場合には、ステップＳ１４０８に進む。もし、制御部３１６が手差しトレイ２０６に用紙が補給されていないと判断した場合には、用紙が補給されるまでステップＳ１４０７を繰り返す。なお、制御部３１６は用紙が補給された際に、センサー（不図示）により用紙の幅のサイズを獲得する事ができる。そして制御部３１６は、記憶部３１５に格納されているＰＤＬデータの用紙サイズ情報（ステップ７０４）の用紙幅と異なる用紙幅の用紙がセットされたと判定した場合には、操作部３１７にエラー画面を表示する。このエラー画面には、異なる用紙がセットされた旨（ガイドエラー）が表示される。そして、制御部３１６は正しい用紙が補給されるまで、操作部３１７にエラー画面（不図示）を表示し、正しい用紙が補給されれば、ステップＳ１４０８に進む。
【００６９】
ステップＳ１４０８において、制御部３１６は給紙段のモード設定処理（ステップＳ４０３）で設定されたモードの判定処理を行う。制御部３１６は記憶部３１５から給紙段のモード設定値を読み出す。もし、制御部３１６が給紙段のモード設定処理（ステップＳ４０３）で設定されたモードが「固定モード」であると判定した場合には、ステップＳ１４０９に進む。もし、制御部３１６が給紙段のモード設定処理（ステップ４０３）で設定されたモードが「毎回設定モード」であると判定した場合には、ステップＳ１４１１に進む。
【００７０】
ステップＳ１４０９において、制御部３１６は固定モードで使用するために設定されている用紙情報（用紙サイズ情報、用紙タイプ情報）を記憶部３１５から読み出す。
【００７１】
ステップＳ１４１０において、制御部３１６は記憶部３１５から即時給紙開始設定で設定されている設定値を読み出し、即時給紙開始設定の判定を行う。もし、制御部３１６は記憶部３１５から読み出した即時給紙開始設定の設定値が「許可する」であると判定した場合には、ステップＳ１４１６に進む。制御部３１６は記憶部３１５から読み出した即時給紙開始設定の設定値が「許可しない」であると判定した場合には、ステップＳ１４１２に進む。
【００７２】
ステップＳ１４１１において、制御部３１６は、手差しトレイ２０６に設置されている検知部からの検知結果に基づき用紙がセットされたと判定すると、操作部３１７に毎回設定モードの画面（図９）を表示させる。
【００７３】
そして、制御部３１６は毎回設定モード画面の用紙サイズ情報／用紙タイプ情報の設定画面（図９）を介して設定された設定値を記憶部３１５に格納する。
【００７４】
ステップＳ１４１２において、制御部３１６は記憶部３１５から給紙段に設定されている用紙サイズ情報（ステップＳ１４０９もしくはステップＳ１４１１）を読み出す。そして、制御部３１６は読み出した用紙サイズ情報がフリーサイズであるか否かを判定する。ここで、フリーサイズとは、用紙のサイズが不定な状態であり、画像形成装置１０２で給紙可能な用紙長の最大長で動作する用紙を指すものとする。もし、制御部３１６は読み出した用紙サイズ情報がフリーサイズであると判定した場合には、ステップＳ１４１３に進む。もし、制御部３１６は読み出した用紙サイズ情報がフリーサイズでないと判定した場合には、ステップＳ１４１４に進む。
【００７５】
ステップＳ１４１３において、制御部３１６は記憶部３１５からＰＤＬデータに設定されていた用紙サイズ情報（ステップＳ７０４）を読み出す。制御部３１６が読み出した用紙サイズ情報（ステップＳ１４１２）がフリーサイズであるときは、用紙サイズが不定な状態である。そこで、制御部３１６は、用紙サイズを確定させるためにＰＤＬデータで設定されていた用紙サイズ情報（ステップＳ７０４）で補間を行う。
【００７６】
ステップＳ１４１４において、制御部３１６は記憶部３１５から特定の用紙サイズの情報を読み出す。なお、特定の用紙サイズ情報の設定は図１５のＵＩ画面から設定でき、予め設定が行われているものとする。また、即時給紙開始設定が「許可しない」に設定されていても、特定の用紙サイズが設定されている場合に、特定の用紙サイズを超えない用紙を使用する場合には、即時給紙開始を行う設定である。そして、制御部３１６は給紙段に設定されている用紙サイズ、もしくはＰＤＬデータで指定されている用紙サイズ情報が、特定の用紙サイズより長いか否かを判定する。
【００７７】
ここで、特定の用紙サイズの設定について図１５を用いて説明する。画面２５０１は、特定の用紙サイズ設定画面を示している。タブ２５０２は、特定の用紙サイズ設定画面を示すタブである。ボタン２５０３は、特定の用紙サイズを設定しない「ＯＦＦ」を選択するボタンである。このボタンが選択されると、特定の用紙サイズは設定されていない状態になり、特定の用紙サイズは用いられない。ボタン２５０４は、特定の用紙サイズとして「Ａ３」を選択するボタンである。このボタンが選択されると、「Ａ３」を超えない用紙は即時給紙開始設定が「許可しない」に設定されていても、即時給紙を開始するようになる。ボタン２５０５は、特定の用紙サイズとして「Ｂ４」を選択するボタンである。ボタン２５０５が選択されると、「Ｂ４」を超えない用紙は即時給紙開始設定が「許可しない」に設定されていても、即時給紙を開始するようになる。ボタン２５０６は、特定の用紙サイズとして「長尺」を選択するボタンである。本実施例では「長尺」が選択された状態（グレイ表示）になっている。このボタンが選択されると、「長尺」でない用紙は即時給紙開始設定が「許可しない」に設定されていても、即時給紙を開始するようになる。
【００７８】
ボタン２５０７は、特定の用紙サイズとして「自動」を選択するボタンである。このボタンが選択されると、手差しトレイ（２０７）に設置されている検知部（不図示）がラージサイズと判定しなかった用紙は即時給紙開始設定が「許可しない」に設定されていても、即時給紙を開始するようになる。
【００７９】
ボタン２５０８は、特定の用紙サイズとして「カスタム」を選択するボタンであり、入力フィールドにて特定の用紙サイズを入力する事ができる。初期値として、手差しトレイのトレイの長さが入力されているものとする。これは、手差しトレイのトレイの長さを超える用紙は積載性がよくないため、ユーザが用紙を整えるのに時間がかかるためである。
【００８０】
もし、制御部３１６は特定の用紙サイズを超えると判定した場合には、ステップＳ１４１５に進む。もし、制御部３１６は特定の用紙サイズを超えないと判定した場合には、ステップＳ１４１６に進む。
【００８１】
ステップＳ１４１５において、制御部３１６は給紙開始指示を行うためのＵＩ画面（図１０）を操作部３１７に表示し、制御部３１６は操作部３１７から給紙開始指示が来るまでステップＳ１４１５を繰り返す。
【００８２】
そして、制御部３１６が操作部３１７からの給紙開始指示ボタン（図１０の２００３）が押下された事を検知していない間は、ステップＳ１４１５の制御を繰り返す。もし、制御部３１６が操作部３１７から給紙開始指示ボタン（図１０の２００３）が押下された事を検知した場合には、ステップＳ１４１６に進む。
【００８３】
ステップＳ１４１６において、制御部３１６は手差しトレイ２０６に給紙要求（不図示）を行う。ステップＳ１４１７において、制御部３１６はイメージデータ記憶部（３１２）に格納されているイメージデータ（不図示）をビデオデータ（不図示）に変換して、プリンタエンジン部（３１３）に転送する。
【００８４】
ステップＳ１４１８において、制御部３１６は、手差しトレイ２０６から給紙された用紙に、ステップＳ１４１８で転送されたビデオデータ（不図示）を用いて印刷を行う。
【００８５】
ステップＳ１４１９において、制御部３１６は処理中のページを示すパラメータＰを次のページに変更（Ｐ＝Ｐ＋１）する。ステップＳ１４２０において、制御部３１６は図１４の処理を終了する。
【００８６】
以上、本実施形態によれば、用紙なし発生によるジョブ中断後の用紙補給時に、毎回設定モードが設定されている場合は、ユーザに用紙サイズ情報を設定させてから給紙を行う。また固定モードが設定されている場合で、且つ即時給紙を許可しないことが設定されている場合は、ユーザに用紙サイズ情報を設定させることはせずに、給紙開始の指示を受け付けたことに応じて給紙を行う。また固定モードが設定されている場合で、且つ即時給紙を許可することが設定されている場合は、自動的に給紙を行う。このような少なくとも３つの方法で給紙タイミングを制御するため、ユーザの所望する方法でジョブ中断後の給紙タイミングを制御することができ、使い勝手の良い装置を提供することができる。
【００８７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８８】
１０１  ホストコンピュータ（外部装置）
１０２  画像形成装置
２０６  手差しトレイ
３０３  プリンタドライバ
３１３  プリンタエンジン
３１６  制御部
３１７  操作部
【図１】
2019038214.tif 000003
【図２】
2019038214.tif 000004
【図３】
2019038214.tif 000005
【図４】
2019038214.tif 000006
【図５】
2019038214.tif 000007
【図６】
2019038214.tif 000008
【図７】
2019038214.tif 000009
【図８】
2019038214.tif 000010
【図９】
2019038214.tif 000011
【図１０】
2019038214.tif 000012
【図１１】
2019038214.tif 000013
【図１２】
2019038214.tif 000014
【図１３】
2019038214.tif 000015
【図１４】
2019038214.tif 000016
【図１５】
2019038214.tif 000017